(57)【要約】【課題】一度に広範囲に塗布できる塗布栓を提供する。【解決手段】容器の口部に固定保持されるキャップベースと、このキャップベースの底壁に配置され容器内の内容物を染み込ませてそれを直接塗布面に接触させて内容物を塗布する塗布ヘッドを有する塗布栓において、前記キャップベースの底壁に容器内の内容物を排出する複数の開口を設け、前記塗布ヘッドの全域にほぼ均等に分散させた複数の貫通孔を有し該キャップベースの底壁に合わさりその相互間で貫通孔と開口をそれぞれつなぐ通路を区画する塗布ヘッド皿を設ける。【選択図】　　　　図１
2004090926.tif 000002
【特許請求の範囲】
【請求項１】
容器の口部に固定保持されるキャップベースと、このキャップベースの底壁に配置され容器内の内容物を染み込ませてそれを直接塗布面に接触させて内容物を塗布する塗布ヘッドを有する塗布栓であって、
前記キャップベースの底壁に容器内の内容物を排出する複数の開口を設け、
前記塗布ヘッドの全域にほぼ均等に分散させた複数の貫通孔を有し該キャップベースの底壁に合わさりその相互間で貫通孔と開口をそれぞれつなぐ通路を区画する塗布ヘッド皿を設けたことを特徴とする塗布栓。
【請求項２】
通路が、キャップベース及びヘッド皿の少なくとも一方に設けられた溝にて形成されたものである、請求項１記載の塗布栓。
【請求項３】
容器の口部に固定保持されるキャップベースと、このキャップベースの底壁に配置され容器内の内容物を染み込ませてそれを直接塗布面に接触させて内容物を塗布する塗布ヘッドを有する塗布栓であって、
前記キャップベースの底壁に、容器内の内容物を排出するノズルとこのノズルより排出された内容物を該キャップベースの底壁に沿いその外縁に向けて放射状に流通させて塗布ヘッドの全域にわたって内容物を染み込ませる複数の誘導溝を設けたことを特徴とする塗布栓。
【請求項４】
キャップベースはその底壁に、誘導溝に沿って流通させた内容物の一部分を一旦貯溜するバッファ槽を有する、請求項３記載の塗布栓。
【請求項５】
塗布ヘッドがフェルト、スポンジ等の気泡構造体または焼結体の何れかからなる請求項１〜４の何れかに記載の塗布栓。
【発明の詳細な説明】
【０００１】
【発明の属する技術分野】
本発明は、フェルト等からなる塗布ヘッドに容器内の内容物を染み込ませて塗布する塗布栓に関するものであり、該塗布ヘッドの全域に内容物を均等に染み込ませて一度の塗布作業で広範囲にわたる塗布を可能としようとするものである。
【０００２】
【従来の技術】
痒み止め液等の薬剤やガラスの曇り止め液等を充填する容器は、その口部にフェルト等からなる塗布ヘッドを装着した塗布栓が設けられていて、容器のスクイズによって該塗布ヘッドに液体を染み込ませ、それを直接塗布対象物に接触させて塗布する構造になっている。
【０００３】
ところで、従来の塗布栓は塗布ヘッドの表面積が大きいにもかかわらず内容物の供給口が一つしかないため内容物の染み込む範囲が狭く複数回にわたる塗布操作が必要であって、一度で広範囲にわたって塗布を可能とした塗布ヘッドの開発が望まれていた。
【０００４】
【発明が解決しようとする課題】
本発明の課題は、塗布すべき内容物を全域に均等に染み込ませて効率的な塗布を実現できる新規な塗布ヘッドを提案するところにある。
【０００５】
【課題を解決するための手段】
本発明は、容器の口部に固定保持されるキャップベースと、このキャップベースの底壁に配置され容器内の内容物を染み込ませてそれを直接塗布面に接触させて内容物を塗布する塗布ヘッドを有する塗布栓であって、
前記キャップベースの底壁に容器内の内容物を排出する複数の開口を設け、
前記塗布ヘッドの全域にほぼ均等に分散させた貫通孔を有し該ベースキャップの底壁に合わさりその相互間で貫通孔と開口をそれぞれつなぐ通路を区画する塗布ヘッド皿を設けたことを特徴とする塗布栓である。
【０００６】
上記の構成になる塗布栓において、通路は、キャップベース及びヘッド皿の少なくとも一方に設けられた溝にて形成することができる。
【０００７】
また、本発明は容器の口部に固定保持されるキャップベースと、このキャップベースの底壁に配置され容器内の内容物を染み込ませてそれを直接塗布面に接触させて内容物を塗布する塗布ヘッドを有する塗布栓であって、
前記キャップベースの底壁に、容器内の内容物を排出するノズルとこのノズルより排出された内容物を該キャップベースの底壁に沿いその外縁に向けて放射状に流通させて塗布ヘッドの全域にわたって内容物を染み込ませる複数の誘導溝を設けたことを特徴とする塗布栓である。
【０００８】
キャップベースはその底壁に、誘導溝に沿って流通させた内容物の一部分を一旦貯溜するバッファ槽を設けることができ、塗布ヘッドはフェルト、スポンジ等の気泡構造体または焼結体の何れかにて構成することができる。
【０００９】
【発明の実施の形態】
以下、図面を用いて本発明をより具体的に説明する。
【００１０】
図１（ａ）（ｂ）は本発明に従う塗布栓の実施の形態をその平面及び側面について示した図である。
【００１１】
図において１は内容物を収納するスクイズタイプの容器、２は容器１の口部に固定保持することができるキャップベースであり、このキップベース２は環状側壁２ａを有している。
【００１２】
また、３はフェルト、スポンジ等の気泡構造体または焼結体の何れかにて構成されキャップベース２の底壁２ｂに配置される塗布ヘッド、４はキャップベース２の底壁２ｂに設けられた開口、５はキャップベース２の底壁２ｂに合わさる塗布ヘッド皿であって、この塗布ヘッド皿５は皿本体５ａとキャップベース２の環状側壁２ａの内側に合致する側壁５ｂからなる。
【００１３】
６は塗布ヘッド皿５の皿本体５ａに設けられた複数の貫通孔、７は皿本体５ａに設けた例で示した溝であり、この溝７はその背面を図２に示す如く各貫通孔６を含むように設けられたものであり、キャップベース２に合わさることによってその相互間で貫通孔６と開口４をそれぞれつなぐ通路Ｐを区画形成するようになっている。
【００１４】
また、８は塗布ヘッド皿５の側壁５ａに一体的に設けられ塗布ヘッド３を係止する抜け止め用の係止片、そして９はキャップベース２において取り付け、取り外し可能なキャップである。
【００１５】
塗布ヘッド皿５の皿本体５ａに設けられた貫通孔６は塗布ヘッド３の全域にほぼ均等に分散されるように形成されており、容器１を図３に示すごとく反転させてスクイズすると、容器１内の内容物は開口４、通路Ｐ及び貫通孔６を経て塗布ヘッド３へと流れていき、該内容物はその全域で均等に染み込むこととなり、その結果、従来の塗布ヘッドに比較して一度の操作で塗布できる範囲が著しく拡大されることになる。
【００１６】
次に、本発明に従う塗布栓の他の実施の形態を図４（ａ）（ｂ）に示す。
【００１７】
図４において１０は容器１内の内容物を排出するノズルであり、このノズル１０はキャップベース２の底壁２ｂの中央部で該底壁２ｂと一体的に設けられた例で示してある。
【００１８】
また、同図において１１ａ、１１ｂはキャップベース２の底壁２ｂに沿いノズル１０を起点にその外縁に向けて放射状に延びる複数の誘導溝、１２はキャップベース２の底壁２ｂで誘導溝１１ａ、１１ｂをその途中で分断するように環状に設けられたバッファ槽（凹部）であり、誘導溝１１ａに沿って流れてきた内容物の一部分をこのバッファ槽１２にて一旦貯溜することができるようになっている。そして、１３はキャップベース２において塗布ヘッド３を係止する抜け止め用の係止リングである。
【００１９】
上掲図４に示した如き構造になる塗布栓においては容器１を直立させたままでスクイズすると、ノズル９より排出された内容物が塗布ヘッド３に直接かかって染み込むだけでなく、図５にその様子を示す如く該ノズル９の側面を流下するとともにキャップベース２の底壁２ｂに設けられた誘導溝１１ａ、１１ｂに従ってその外縁へと流れていくこととなり、これによって塗布ヘッド３の全域で内容物をほぼ均等に染み込みすぐさま塗布が可能になる。
【００２０】
この実施の形態において誘導溝１１ａ、１１ｂ及びバッファ槽１１はキャップベース２に一体的に設ける場合について示したが、図６（ａ）（ｂ）及び図７に示すように、誘導溝１１ａをキャップベース２に一体的に設け、誘導溝１１ｂについては係止用リング１３と一体的に設け、それらの組み合わせに際して誘導溝１１ａと誘導溝１１ｂの相互間にバッファ槽１２を形成するようにしてもよく、この点についてはとくに限定されない。
【００２１】
【発明の効果】
本発明によれば、塗布ヘッドの全域にまんべんなく内容物を染み込ませることができるので、一度で広範囲にわたる効率的な塗布が可能になる。
【図面の簡単な説明】
【図１】（ａ）（ｂ）は本発明に従う塗布栓の実施の形態を示した図である。
【図２】塗布ヘッド皿の背面を示した図である。
【図３】塗布ヘッドに対する内容物の流通状況を示した図である。
【図４】（ａ）（ｂ）は本発明に従う塗布栓の他の実施の形態を示した図である。
【図５】内容物の流通状況を示した図である。
【図６】（ａ）（ｂ）は本発明に従う塗布栓の他の実施の形態を示した図である。
【図７】図６に示した塗布栓の組み込み状態を示した図である。
【符号の説明】
１　容器
２　キャップベース
２ａ　環状側壁
２ｂ　底壁
３　塗布ヘッド
４　開口
５　塗布ヘッド皿
５ａ　皿本体
５ｂ　側壁
６　貫通孔
７　溝
８　係止片
９　キャップ
１０　ノズル
１１　誘導溝
１２　バッファ槽
１３　係止用リング
Ｐ　通路
【図１】
2004090926.tif 000003
【図２】
2004090926.tif 000004
【図３】
2004090926.tif 000005
【図４】
2004090926.tif 000006
【図５】
2004090926.tif 000007
【図６】
2004090926.tif 000008
【図７】
2004090926.tif 000009